(57)【要約】      （修正有）【課題】混合が容易な室温液状で、加水分解による洗浄剤溶液の粘度低下が抑制された増粘剤とそれを用いた洗浄剤組成物を提供する。【解決手段】次式（I）で表わされるポリオキシアルキレン脂肪酸グリセリンを含有する洗浄剤用増粘剤。2015127360.tif 000009【選択図】なし【特許請求の範囲】
【請求項１】
次式（I）：
【化１】
2015127360.tif 000008
（式中、Ｒ1〜Ｒ3はそれぞれ独立に炭素数７〜１１の直鎖もしくは分岐のアルキル基又はアルケニル基を示し、ＡＯは炭素数２又は３のオキシアルキレン基を示し、ｘ、ｙ、ｚは１以上の整数でｘ＋ｙ＋ｚ＝３〜３０の範囲である。）で表わされるポリオキシアルキレン脂肪酸グリセリンを含有する洗浄剤用液状増粘剤。
【請求項２】
請求項１に記載の洗浄剤用液状増粘剤と、界面活性剤とを含有する洗浄剤組成物。
【発明の詳細な説明】
【技術分野】
【０００１】
本発明は、シャンプーやボディソープ等の洗浄剤に使用される増粘剤とそれを用いた洗浄剤組成物に関する。
【背景技術】
【０００２】
シャンプーやボディソープ等の洗浄剤は一般に、取扱い易くするために増粘剤で適度な粘度を持たせている。
【０００３】
このように適度な粘度を与えるために、安価で優れた増粘作用を有するヤシ油脂肪酸ジエタノールアミドが増粘剤として一般に知られている。
【０００４】
しかし、ヤシ油脂肪酸ジエタノールアミドは製造過程において、発がん性物質であるニトロソアミンが副生成物として発生する可能性があることから、増粘剤として使用されなくなってきている。
【０００５】
このような問題点を解決するために、アルキルグリセリルエーテルからなる増粘剤が開示されている（特許文献１、２）。しかし、増粘性を得るためには高添加量を必要とし、多段階反応を要するため工業的には好ましくない。
【０００６】
また、ポリエチレングリコールやポリプロピレングリコールの脂肪酸モノ又はジエステルなども開示されている（特許文献３）が、水系で使用した場合に加水分解により洗浄剤溶液の粘度が低下し安定性に問題があった。また、ヨーロッパではポリオキシエチレンラウリルエーテルが用いられているが、特有の臭いが問題となっていた。
【０００７】
一方、界面活性剤と、１）多価アルコールのエチレンオキサイド４０〜４００モル付加物と合計炭素数８〜３６の分岐脂肪酸とのエステル、２）平均分子量２０００〜２００００のポリエチレングリコールと合計炭素数８〜３６の分岐脂肪酸とのエステル、３）多価アルコールと合計炭素数８〜３６の分岐脂肪酸とのエステルのエチレンオキサイド４０〜４００モル付加物から選ばれる分岐脂肪酸とのエステルとを含有する洗浄剤組成物（特許文献４〜６）が開示されている。
【０００８】
しかし、最適な粘度を得ようとすると、べたつき、ぬるつき等、洗浄剤の使用感の低下等が生じ、逆に使用感を維持しようとすると最適な粘度にならず、性能的に不十分であった。さらに増粘剤が固体形態であると、増粘剤を完全に溶解し粘度を増大させ均一の粘度とするには膨大な時間が掛かる。また混合時に増粘剤を溶解させるため、例えば５０〜８０℃で加熱すると、加水分解を助長することになってしまう。シャンプー等を製造する場合は加熱せずに混合することが所望されており、また増粘剤を液体形態で導入することができれば、配合時の自動化や精確な量の増粘剤を導入することが可能となり、短時間で正確かつムラの無い粘度の液体洗浄剤組成物を得ることができる。
【０００９】
また、特定のポリオキシエチレンモノ脂肪酸グリセリンは、シャンプー組成物に配合され、毛髪に良好なハリ、コシ（弾力感）を与え、泡質を良好にすること（特許文献７）が開示されているが、同物質のレオロジカルな性質に関しては言及されておらず、更にエステル化度とそのレオロジカルな特性に関しても何ら検討されていなかった。
【先行技術文献】
【特許文献】
【００１０】
【特許文献１】特開２００２−１８００８６号公報
【特許文献２】特開２００３−１２９０３２号公報
【特許文献３】特開２００２−２６５９９３号公報
【特許文献４】特開昭６３−０７５０９７号公報
【特許文献５】特開２００２−２２６８９０号公報
【特許文献６】特開２００９−２２１１２０号公報
【特許文献７】特開２０１０−１６３３７７号公報
【発明の概要】
【発明が解決しようとする課題】
【００１１】
本発明は、以上の通りの事情に鑑みてなされたものであり、混合が容易な室温液状で、加水分解による洗浄剤溶液の粘度低下が抑制された増粘剤とそれを用いた洗浄剤組成物を提供することを課題としている。
【課題を解決するための手段】
【００１２】
上記の課題を解決するために、本発明の洗浄剤用液状増粘剤は、次式（I）：
【００１３】
【化１】
2015127360.tif 000002
【００１４】
（式中、Ｒ1〜Ｒ3はそれぞれ独立に炭素数７〜１１の直鎖もしくは分岐のアルキル基又はアルケニル基を示し、ＡＯは炭素数２又は３のオキシアルキレン基を示し、ｘ、ｙ、ｚは１以上の整数でｘ＋ｙ＋ｚ＝３〜３０の範囲である。）で表わされるポリオキシアルキレン脂肪酸グリセリンを含有することを特徴としている。
【００１５】
本発明の洗浄剤組成物は、前記の洗浄剤用液状増粘剤と、界面活性剤とを含有する。
【発明の効果】
【００１６】
本発明の洗浄剤用液状増粘剤によれば、液状であるためハンドリングが容易で、加水分解性が低いため安定性が良好で、安全性が高く、不快な臭気もなく、洗浄剤に用いることによって従来品と同等程度もしくはそれ以上の増粘作用を発揮する。
【発明を実施するための形態】
【００１７】
以下に、本発明を詳細に説明する。
１．洗浄剤用液状増粘剤
本発明の洗浄剤用液状増粘剤は、前記式（I）で表わされるポリオキシアルキレン脂肪酸グリセリンを含有する。
【００１８】
式（I）のＲ1〜Ｒ3はそれぞれ独立に炭素数７〜１１の直鎖もしくは分岐のアルキル基又はアルケニル基を示す。
【００１９】
Ｒ1〜Ｒ3の炭素数が７以上であると皮膚刺激性を低減することができ、炭素数が１１以下であると融点が高くなり過ぎず液状を保つことができる。
【００２０】
Ｒ1〜Ｒ3の直鎖もしくは分岐のアルキル基又はアルケニル基のうち、直鎖のアルキル基としては、ヘプチル基、オクチル基、ノニル基、デカニル基、ウンデカニル基が挙げられる。
【００２１】
直鎖のアルケニル基としては、モノエン、ジエン、トリエン等が挙げられ、例えば、ヘプテニル基、オクテニル基、ノネニル基、デセニル基、ウンデセニル基が挙げられる。
【００２２】
分岐のアルキル基又はアルケニル基としては、１個又は複数個の分枝鎖、例えば１個又は２個の分枝鎖を有するものが挙げられ、例えば、イソアルキル基や、α−炭素原子に分枝鎖を有する１−エチルペンチル基、１−エチルヘキシル基、１−プロピルペンチル基、１−エチルヘプチル基、１−プロピルヘキシル基、１−エチルオクチル基、１−プロピルヘプチル基等の分岐のアルキル基や、これらの骨格を持つ分岐のアルケニル基等が挙げられる。
【００２３】
式（I）のＡＯは炭素数２又は３のオキシアルキレン基を示す。オキシアルキレン基としては、オキシエチレン基（ＣＨ2ＣＨ2Ｏ−）、オキシプロピレン基（ＣＨ2ＣＨ（ＣＨ3）Ｏ−）が挙げられる。
【００２４】
ｘ、ｙ、ｚは１以上の整数でｘ＋ｙ＋ｚ＝３〜３０の範囲である。そのうちオキシエチレン基が３〜３０の範囲で、かつオキシプロピレン基が０〜５の範囲であることが好ましい。
【００２５】
この付加モル数ｘ＋ｙ＋ｚが３〜３０の範囲であると、増粘性を特に高めることができる。
【００２６】
式（I）の(ＡＯ)x、(ＡＯ)y、(ＡＯ)zが、オキシアルキレン基としてオキシエチレン基とオキシプロピレン基を含むポリオキシアルキレン基である場合、アルキレンオキサイドの付加形態はブロック付加であってもよく、ランダム付加であってもよい。
【００２７】
式（I）で表わされるポリオキシアルキレン脂肪酸グリセリンは、公知の方法により製造することができ、その製造方法は特に限定されるものではないが、例えば、グリセリンにアルキレンオキサイドを付加し、更に脂肪酸とエステル化させて得ることができる。
【００２８】
グリセリンのアルキレンオキサイド付加体は、エチレンオキサイドをグリセリンに単独で付加するか、又はエチレンオキサイド及びプロピレンオキサイドをブロック付加又はランダム付加して得られる。
【００２９】
アルキレンオキサイドを付加する反応は、常法に従って行うことができ、例えば水酸化ナトリウム、ナトリウムアルコラート等の触媒の存在下、又は不存在下に５０〜２００℃でアルキレンオキサイドを付加して行うことができる。
【００３０】
エステル化反応は、グリセリンのアルキレンオキサイド付加体と脂肪酸とを、アルカリ触媒又は酸触媒の存在下、又は不存在下に、適宜に加熱して反応させることによって行うことができる。脂肪酸としては、オクタン酸（カプリル酸）、ノナン酸、デカン酸（カプリン酸）、ウンデカン酸、ドデカン酸（ラウリン酸）等の直鎖飽和脂肪酸、２−エチルヘキサン酸、２−エチルオクタン酸、２−エチルデカン酸等の分岐脂肪酸等が挙げられる。
【００３１】
前記の製造方法によって得られるポリオキシアルキレン脂肪酸グリセリンは、トリエステルの含有量が、例えば８０質量％以上である。これをそのまま洗浄剤用液状増粘剤としてもよい。
【００３２】
２．洗浄剤組成物
本発明の洗浄剤組成物は、前記の洗浄剤用液状増粘剤と、界面活性剤とを含有する。
本発明の洗浄剤組成物は、優れた界面活性を有すると共に、増粘剤の加水分解による粘度低下が抑制されて安定性も良好で、香粧品等に好適であり、シャンプー、コンディショニングシャンプー、ボディシャンプー、ハンドソープ、洗顔料用等に用いることができる。
【００３３】
界面活性剤としては、特に限定されるものではなく、アニオン界面活性剤、カチオン界面活性剤、両性界面活性剤、及びノニオン界面活性剤から選ばれる少なくとも１種を好適に用いることができる。
【００３４】
本発明の洗浄剤組成物に使用されるアニオン界面活性剤としては、脂肪酸石鹸、アルキルエーテルカルボン酸塩、アルキレンアルキルエーテルカルボン酸塩、脂肪酸アミドエーテルカルボン酸塩、アシル乳酸塩、Ｎ−アシルグルタミン酸塩、Ｎ−アシルアラニン塩、Ｎ−アシルサルコシン塩、Ｎ−アシル−ω−アミノ酸塩等のカルボン酸塩、アルカンスルホン酸塩、α−オレフィンスルホン酸塩、α−スルホ脂肪酸メチルエステル塩、アシルイセチオン酸塩、アルキルグリシジルエーテルスルホン酸塩、アルキルスルホコハク酸塩、アルキルスルホ酢酸塩、アルキルベンゼンスルホン酸塩、アルキルナフタレンスルホン酸塩、Ｎ−アシルメチルタウリン塩、ホルマリン縮合系スルホン酸塩等のスルホン酸塩、アルキル硫酸塩、アルキルエーテル硫酸塩、ポリオキシアルキレンアルキルエーテル硫酸塩、アルキルアリールエーテル硫酸塩、脂肪酸アルカノールアミド硫酸塩、脂肪酸モノグリセリド硫酸塩等の硫酸塩、アルキルリン酸塩、ポリオキシアルキレンアルキルエーテルリン酸塩、アルキルアリールエーテルリン酸塩、脂肪酸アミドエーテルリン酸塩等のリン酸塩等が挙げられる。
【００３５】
カチオン界面活性剤としては、第一級アミン塩、第二級アミン塩、第三級アミン塩、脂肪族アミドアミン塩、脂肪族アミドグアニジウム塩、第四級アンモニウム塩、アルキルトリアルキレングリコールアンモニウム塩、アルキルエーテルアンモニウム塩等の脂肪族アミン塩及びその第四級アンモニウム塩、ベンザルコニウム塩、ベンゼトニウム塩、ピリジニウム塩、イミダゾリニウム塩等の環式第四級アンモニウム塩等が挙げられる。
【００３６】
両性界面活性剤としては、カルボベタイン、アミドベタイン、イミダゾリニウムベタイン、スルホベタイン、ホスホベタイン等が挙げられる。
【００３７】
ノニオン界面活性剤としては、ポリオキシアルキレン脂肪酸エステル、ポリオキシアルキレンアルキルエーテル、ポリオキシアルキレンアルキルフェニルエーテル、ポリオキシアルキレン（硬化）ヒマシ油エステル、ショ糖脂肪酸エステル、ポリグリセリンアルキルエーテル、ポリグリセリン脂肪酸エステル、アルカノールアミド、ポリオキシアルキレングリセリン脂肪酸（モノ／ジ）エステル、ポリオキシアルキレンソルビタン脂肪酸エステル、アルキルポリグリコシド等が挙げられる。
【００３８】
本発明の洗浄剤組成物は、上記の各成分を、溶媒である水に溶解又は分散させることで調製することができる。
【００３９】
界面活性剤の配合量は、特に限定されるものではないが、例えば、洗浄剤組成物の全量に対して５〜５０質量％、中でも１０〜３５質量％である。
【００４０】
洗浄剤用液状増粘剤の配合量は、特に限定されるものではないが、例えば、洗浄剤組成物の全量に対して０．５〜１０質量％、中でも１〜５質量％である。
【００４１】
水の配合量は、特に限定されるものではないが、例えば、洗浄剤組成物の全量に対して６０〜９０質量％である。
【００４２】
洗浄剤組成物は、洗浄後の毛髪の感触向上等を目的として、カチオン化ポリマーを配合することができる。カチオン化ポリマーとしては、カチオン化セルロース、カチオン化グアーガム、カチオン化デンプン、塩化ジメチルジアリルアンモニウム・アクリルアミド共重合体等が挙げられる。
【００４３】
カチオン化ポリマーの配合量は、特に限定されるものではないが、例えば、洗浄剤組成物の全量に対して０．１〜１．５質量％である。
【００４４】
更に、本発明の洗浄剤組成物には、上記の各成分以外にも、メチルセルロース、ヒドロキシプロピルメチルセルロース、ヒドロキシエチルセルロース、カルボキシメチルセルロース等の水溶性高分子、ポリエチレングリコール、プロピレングリコール、１，２−ペンタンジオール、グリセリン等の保湿剤や従来から香粧品の基剤等として使用されている各種成分を、必要に応じて配合することができる。このような成分としては、香料、コンディショニング剤、金属イオン封鎖剤、パール化剤、起泡剤、分散安定剤、紫外線吸収剤、ふけ防止剤、抗菌剤、殺菌剤、防腐剤、ｐＨ調整剤等が挙げられる。
【実施例】
【００４５】
以下に、実施例により本発明を更に詳しく説明するが、本発明はこれらの実施例に何ら限定されるものではない。なお、表３〜表５に示す配合量は質量部を表す。
（増粘剤１〜１２の合成）
オートクレーブにグリセリンとＮａＯＨを仕込み、さらにエチレンオキサイドを表１に示す反応モル比で加え、１５０℃で規定時間付加反応して、ポリオキシエチレングリセリルエーテルを得た。
【００４６】
増粘剤７は、エチレンオキサイドとプロピレンオキサイドを表１に示す反応モル比で加え（ＰＯ１モル、ＥＯ７モル）、それ以外は上記と同様の条件で付加反応を行い、ポリオキシエチレンポリオキシプロピレングリセリルエーテルを得た。
【００４７】
温度計、窒素導入管、撹拌機を備えた四つ口フラスコに、前記において得られたポリオキシエチレングリセリルエーテル又はポリオキシエチレンポリオキシプロピレングリセリルエーテルと表１に示す脂肪酸を入れ、必要に応じてアルカリ触媒を加え、２００℃にて規定時間反応を行い、酸価１０以下になるまで反応を行って、表１に示す増粘剤１〜１２を得た。
【００４８】
増粘剤１〜１１はいずれも室温（２５℃）で液状であり、増粘剤１２は固体であった。
【００４９】
増粘剤１〜１２におけるグリセリンへのエチレンオキサイド（ＥＯ）とプロピレンオキサイド（ＰＯ）の付加モル、増粘剤１〜１２の酸価とけん化価を表１に示す。また使用した脂肪酸の中和価（ＮＶ）と分子量（ＭＷ）を表２に示す。
【００５０】
なお、表１及び表２において、けん化価（ＳＶ）は基準油脂分析試験法２．３．２−１９９６に従って試料１ｇ中の遊離酸の中和及びエステルのけん化に要する水酸化カリウムのｍｇ量で測定した。酸価（ＡＶ）は基準油脂分析試験法２．３．１−１９９６に従って試料１ｇ中に含有する遊離酸を中和するのに要する水酸化カリウムのｍｇ量で測定した。中和価（ＮＶ）は基準油脂分析試験法３．３．１−１９９６に従って脂肪酸１ｇを中和するのに要する水酸化カリウムのｍｇ量で測定した。分子量（ＭＶ）は上記の測定値から平均分子量を算出した。
【００５１】
【表１】
2015127360.tif 000003
【００５２】
【表２】
2015127360.tif 000004
【００５３】
前記において得られた増粘剤１〜１２を用いて次の評価を行った。
【００５４】
表３及び表４に示す配合量で各成分を配合し、洗浄剤組成物を調製した。
【００５５】
表３では、界面活性剤としてアニオン界面活性剤（ポリオキシエチレンラウリルエーテル硫酸ナトリウム（ＳＬＥＳ）、ミヨシ油脂（株）「スパミンＳＡ」）及び両性界面活性剤（ラウラミドプロピルベタイン、ミヨシ油脂（株）「アンホレックスＬＢ−２」）、カチオン化ポリマー（カチオン化セルロース、東邦化学工業（株）「カチナールＨＣ−２００」）、増粘剤として増粘剤１〜１２、ヤシ油脂肪酸ジエタノールアミド、又はポリオキシエチレン脂肪酸モノエステル（ＰＥＧ脂肪酸モノエステル）、及び水を配合し、ｐＨ６に調整した。
【００５６】
表４では、界面活性剤としてアニオン界面活性剤（カリウム石鹸、ミヨシ油脂（株）「コスメチックソープＫＳ−１００」）及び両性界面活性剤（ラウラミドプロピルベタイン、ミヨシ油脂（株）「アンホレックスＬＢ−２」）、増粘剤として増粘剤１〜１２、ヤシ油脂肪酸ジエタノールアミド、又はポリオキシエチレン脂肪酸モノエステル（ＰＥＧ脂肪酸モノエステル）、及び水を配合し、ｐＨ９．５に調整した。
【００５７】
［外観］
上記の各成分を配合し、均一に撹拌した後、溶液状態を目視にて次の基準で評価した。
評価基準
○：透明
×：白濁
【００５８】
［粘度］
洗浄剤組成物の２５℃での粘度（ｍＰａ・ｓ）を測定した。粘度の測定条件は次の通りである。
使用粘度計：Ｂ型粘度計（東機産業社製）
ローターＮｏ．２
ローター回転数：１２ｒｐｍ
【００５９】
［泡立ち］
洗浄剤組成物の起泡性及び泡の安定性について次の方法で評価を行った。ＪＩＳ Ｋ−３３６２−６．５（ロスマイルス法）に準拠し、洗浄剤組成物の濃度０．１％（有効分）、液温４０℃で測定を行い、起泡直後と５分後のそれぞれの値を測定した（ｍｍ）。
【００６０】
評価結果を表３及び表４に示す。
【００６１】
【表３】
2015127360.tif 000005
【００６２】
【表４】
2015127360.tif 000006
【００６３】
［加水分解安定性］
増粘剤１〜１２、ヤシ油脂肪酸ジエタノールアミド、又はポリオキシエチレン脂肪酸モノエステル、及び水を表５に示す量で配合し、均一に撹拌して試料を調製した。試料の調製時とその１ヶ月後のそれぞれの酸価を測定した。
【００６４】
評価結果を表５に示す。
【００６５】
【表５】
2015127360.tif 000007
【００６６】
表３〜表５より、増粘剤１〜７を用いた洗浄剤組成物は、外観が透明で、増粘性と泡立ちが良好で、更に増粘剤の加水分解性が低く安定性も良好であった。また製造時には、増粘剤は室温液状でハンドリングが容易であり、不快な臭気もなかった。
【００６７】
前記の増粘剤を用いた洗浄剤組成物の好適な処方例を次に示す。
洗浄剤組成物の原料には下記原料を使用した。
アニオン界面活性剤１
ポリオキシエチレンラウリルエーテル硫酸ナトリウム、ミヨシ油脂（株）
「スパミンＳＡ」
アニオン界面活性剤２
カリウム石鹸、ミヨシ油脂（株）「コスメチックソープＫＳ−１００」
アニオン界面活性剤３
ココイルメチルタウリンＮａ、ミヨシ油脂（株）「アンホレックスＡＭ−１」
アニオン界面活性剤４
ラウレススルホコハク酸Ｎａ、東邦化学工業（株）「コハクールＬ−３００」
アニオン界面活性剤５
ラウレスカルボン酸Ｎａ、ライオン（株）「エナジコールＥＣ−３０」
アニオン界面活性剤６
ヤシ油脂肪酸カリウム、ミヨシ油脂（株）「コスメチックソープＤＣＫ−４Ｎ」
両性界面活性剤１
ラウラミドプロピルベタイン、ミヨシ油脂（株）「アンホレックスＬＢ−２」
両性界面活性剤２
コカミドプロピルベタイン、ミヨシ油脂（株）「アンホレックスＣＢ−１」
両性界面活性剤３
ラウリルヒドロキシスルタイン、ミヨシ油脂（株）「アンホレックスＬＳＢ」
両性界面活性剤４
ココアンホ酢酸Ｎａ、ミヨシ油脂（株）「アンホレックス３０Ｓ」
ノニオン界面活性剤
ヤシ油脂肪酸ＰＥＧ−７グリセリル、ミヨシ油脂（株）「Ｍファインオイル
ＣＯＧ−７Ｍ」
カチオン化ポリマー
カチオン化セルロース、東邦化学工業（株）「カチナールＨＣ−２００」
保湿剤
グリセリン、ミヨシ油脂（株）「化粧用濃グリセリン」
パール化剤
ジステアリン酸グリコール、ミヨシ油脂（株）「パルナーＳＥＧ−Ａ」
【００６８】
以下、処方中の原料は質量部（有効分）で表す。
【００６９】
（処方例１：シャンプー）
アニオン界面活性剤１              １０質量部
両性界面活性剤１                    ４質量部
両性界面活性剤３                    ２質量部
ノニオン界面活性剤                  ３質量部
カチオン化ポリマー              ０．３質量部
増粘剤１                            ３質量部
水                                    残余（全量１００質量部）
【００７０】
上記の各成分を配合し、ｐＨ６の洗浄剤組成物（シャンプー）を調製した。
このシャンプーは、増粘性と泡立ちが良好で、更に増粘剤の加水分解性が低く安定性も良好であった。また製造時には、増粘剤は室温液状でハンドリングが容易であり、不快な臭気もなかった。
【００７１】
（処方例２：シャンプー）
アニオン界面活性剤５              １５質量部
両性界面活性剤１                    ５質量部
パール化剤                          １質量部
両性界面活性剤４                    ２質量部
カチオン化ポリマー              ０．５質量部
増粘剤３                            ５質量部
水                                    残余（全量１００質量部）
【００７２】
上記の各成分を配合し、ｐＨ６の洗浄剤組成物（シャンプー）を調製した。
このシャンプーは、増粘性と泡立ちが良好で、更に増粘剤の加水分解性が低く安定性も良好であった。また製造時には、増粘剤は室温液状でハンドリングが容易であり、不快な臭気もなかった。
【００７３】
（処方例３：コンディショニングシャンプー）
アニオン界面活性剤４              １５質量部
両性界面活性剤３                    ５質量部
カチオン化ポリマー              ０．３質量部
ノニオン界面活性剤                  ３質量部
増粘剤４                            ３質量部
水                                    残余（全量１００質量部）
【００７４】
上記の各成分を配合し、ｐＨ６の洗浄剤組成物（コンディショニングシャンプー）を調製した。
このコンディショニングシャンプーは、増粘性と泡立ちが良好で、更に増粘剤の加水分解性が低く安定性も良好であった。また製造時には、増粘剤は室温液状でハンドリングが容易であり、不快な臭気もなかった。
【００７５】
（処方例４：ボディシャンプー）
アニオン界面活性剤２              １５質量部
両性界面活性剤１                    ５質量部
保湿剤                              ５質量部
増粘剤３                            ３質量部
水                                    残余（全量１００質量部）
【００７６】
上記の各成分を配合し、ｐＨ９．５の洗浄剤組成物（ボディシャンプー）を調製した。
このボディシャンプーは、増粘性と泡立ちが良好で、更に増粘剤の加水分解性が低く安定性も良好であった。また製造時には、増粘剤は室温液状でハンドリングが容易であり、不快な臭気もなかった。
【００７７】
（処方例５：ハンドソープ）
アニオン界面活性剤６              １０質量部
両性界面活性剤３                    ３質量部
両性界面活性剤２                    ２質量部
保湿剤                              ３質量部
増粘剤５                            ３質量部
水                                    残余（全量１００質量部）
【００７８】
上記の各成分を配合し、ｐＨ９．５の洗浄剤組成物（ハンドソープ）を調製した。
このハンドソープは、増粘性と泡立ちが良好で、更に増粘剤の加水分解性が低く安定性も良好であった。また製造時には、増粘剤は室温液状でハンドリングが容易であり、不快な臭気もなかった。
【００７９】
（処方例６：洗顔料）
アニオン界面活性剤３              １０質量部
両性界面活性剤３                    ３質量部
両性界面活性剤４                    ２質量部
増粘剤２                            ２質量部
水                                    残余（全量１００質量部）
【００８０】
上記の各成分を配合し、ｐＨ６の洗浄剤組成物（洗顔料）を調製した。
この洗顔料は、増粘性と泡立ちが良好で、更に増粘剤の加水分解性が低く安定性も良好であった。また製造時には、増粘剤は室温液状でハンドリングが容易であり、不快な臭気もなかった。